(57)【要約】【課題】  和服を着用した男性が装着する角帯であって、装着し易くて装着後の角帯は安定し、しかも角帯の先端部処理が外観を損なうことがないようにした男性用の簡易型帯の提供。【解決手段】  帯本体１の中央部に結び目２を縫い付けし、右側帯本体３の表面５には粘着テープ６を設け、左側帯本体４の裏面８にも粘着テープ７，７・・を設け、腰に巻き付けた際に右側帯本体３の上側に位置する左側帯本体４の先端部９が挿入される隙間を上記結び目２に形成している。【選択図】    図１
2005187953.tif 000002
【特許請求の範囲】
【請求項１】
和服を着用した男性が装着する帯において、帯本体の中央部に結び目を縫い付けし、一方側帯本体の表面には粘着テープを設け、他方側帯本体の裏面にも粘着テープを設け、腰に巻き付けた際に一方側帯本体の上側に位置する他方側帯本体の先端部が挿入される隙間を上記結び目に形成したことを特徴とする男性用の簡易型帯。
【請求項２】
上記一方側帯本体の表面には結び目から粘着テープを沿設すると共に先端にも粘着テープを設け、他方側帯本体の裏面には先端及びその他所々に粘着テープを設けた請求項１記載の男性用の簡易型帯。
【発明の詳細な説明】
【技術分野】
【０００１】
本発明は素人であってもベルト感覚で装着できるワンタッチ方式の男性用簡易型帯に関するものである。
【背景技術】
【０００２】
男性であっても和服を着用する場合もあり、和服を着用するに当って帯は必需品である。男性が和服を着用するに当って使用する角帯は半幅帯であり、腰に巻き付けて両先端部が結ばれる。この際の結び方は角帯が弛まないように締めるだけでなく、結び目の形を整えることが必要であり、女性用の帯に比較して簡単ではあるが、素人では該角帯を締めることは出来ない。
【０００３】
そこで、従来では男性用の簡易型帯が知られ、手軽に和服を着用することが出来るように成っている。例えば、実用新案登録第３０４０５４９号に係る「角帯」は、容易に装着することが出来、着用時にズレルことがないようにしたものであり、一端に結び目を設け、他端を内側に折り曲げ、結び目を設けた箇所の近傍で装着して折り曲げ部分から他端縫着部までを２重に形成し、かつ、この２重部分の外側部分が内側部分より若干長くなるように外側部分と内側部分を折り曲げ部分で縫着し、及び角帯の内側部分の表面に長手方向に直線状に雄又は雌型のベルベット式ファスナーを取付け、かつ折り曲げ部分の近傍外側及び結び目の垂れの先端部内側に、夫々、雌又は雄型のベルベット式ファスナーを取付けている。
【０００４】
この「角帯」は結び目を角帯の一端に設けている為に装着し難く、又装着後の安定性に欠ける。すなわち、結び目を正面又は横に位置させて腰に巻き付けると共に締め付け、締付けた状態で角帯を回して上記結び目が所定の位置である背に配置しなければ成らない。そして、装着される角帯の位置が下腹に成るように押し下げなくてはならず、この際に着用した和服は乱れ、締付けた角帯は弛んでしまう。
【０００５】
角帯本体の裏面には全長にわたってベルベット式ファスナーが取付けられているが、表側には先端にのみベルベット式ファスナーを設けているに過ぎない。従って、装着する人の腰周りが如何様であっても固定することは出来るが、表側の先端にのみ設けたベルベット式ファスナーだけでは締付け力が十分でなく、弛むだけでなく外れる虞がある。しかし、表側のベルベット式ファスナーの長さを延ばしたのでは、装着する人の腰周りが大きい場合には該ベルベット式ファスナーが表面に露出する。
【０００６】
特開５−１７１５０３号に係る「簡易帯」は男性用ではないが、装着が簡単であり、装着後の安定性に優れたものであり、略長方形から成る垂れ帯と、略同一幅からなる帯本体とから成り、帯本体の一端に下から上へテーパー状に幅が狭められた後に所定幅の帯固定縁が連設され、帯固定縁に帯本体と垂直に所定の長さの帯留め片が縫着され、帯固定縁の先端部及び帯本体の他端に結び紐が夫々縫着されている。
【０００７】
実開平５−７１３号に係る「不織布を用いた簡易帯」は、不織布を用いているために、ある程度の柔軟性を剛直性とを有し、簡易帯として型崩れがなく、又結び操作が容易である。不織布自体がシールの雌側又は雄側の役目を果たすので裏面に雄シールさえ付けて置くならば、どの位置でも雄シールを係止でき、胴周りに応じて帯を着用する位置に調整出来る。
しかし、これら簡易帯は女性用であり、男性用の角帯として適用するには問題がある。
【特許文献１】実用新案登録第３０４０５４９号に係る「角帯」
【特許文献２】特開５−１７１５０３号に係る「簡易帯」
【特許文献３】実開平５−７１３号に係る「不織布を用いた簡易帯」
【発明の開示】
【発明が解決しようとする課題】
【０００８】
このように、従来の簡易型帯には上記のごとき問題がある。本発明が解決しようとする課題はこの問題点であり、簡単に装着出来ると共に安定性に優れ、巻き付けた帯本体の先端部の処理が外観を損なわないように構成した簡易型帯を提供する。
【課題を解決するための手段】
【０００９】
本発明に係る簡易型帯は、帯本体のほぼ中央に結び目を取付け、帯本体には粘着テープ(マジックテープ)を設けている。すなわち、結び目を中心として両側に延びる一方側帯本体の表側及び他方側帯本体の裏側に粘着テープを設けていて、腰に巻き付けた帯本体の締付け力は強くて外れることなく安定する。
【００１０】
そして、腰に巻き付けて余った他方側帯本体の先端部は、結び目を挿通出来るように該結び目には隙間を形成している。帯を腰に巻き付けるには、一方側帯本体を下側に置き、他方側帯本体を上側に重ね合わせて締付けるが、上側(表面側)に位置する他方側帯本体の先端は、外観体裁を損なうことなく処理される。ここで、本発明では上記結び目の形態は限定せず自由である。
【発明の効果】
【００１１】
本発明に係る簡易型帯は帯本体の中央に結び目を取付けて構成し、和服を着用して腰に装着する際には、結び目を背に当てた状態で帯本体の両端部をもって締付けることが出来る。そして適度に締付けたところで、帯本体に設けている粘着テープにて粘着することで弛まないように装着される。すなわち、結び目を中心とした一方側帯本体の表側に設け粘着テープと他方側帯本体の裏側に設けた粘着テープが固着する。
【００１２】
そして、腰に巻き付け・装着た場合に他方側帯本体は一方側帯本体の上に重なり合って巻き付けられるが、他方側帯本体の先端は結び目に形成した隙間に挿入されるために、外観は損なわれない。さらに腰周りが細い場合には、結び目を通過した他方側帯本体の先端部は折り返されて結び目の隙間に挟まれる。
【実施例】
【００１３】
図１は本発明に係る簡易型帯を示す実施例であり、(ａ)は平面図、(ｂ)は裏面図を表している。同図の１は帯本体で細長い半幅帯となっていて、この中央には結び目２を縫着している。従来の男性用角帯にはこの結び目２がなく、腰に巻き付けると共に、帯本体の両端部を結んで上記結び目２を形成している。従来では、この結び目を半幅帯の両先端部を折り曲げて互いに結び合わせなくてはならず、素人では該結び目を作ることは容易でなく、むしろ不可能に近い。そこで、本発明の簡易型帯には帯本体１の中央に該結び目２を縫着し、帯締め作業時に結び目２を作る必要がない。
【００１４】
帯本体１の右側帯本体３の表面５には粘着テープ６が中央の結び目２から沿設され、さらに先端にも小さな粘着テープ６を設けている。ただし左側帯本体４の表面５には粘着テープ６を設けていない。一方、(ｂ)に示しているように、裏面に相当する帯本体１の左側帯本体４の裏面には小さな粘着テープ７，７・・は所々に設けられ、又先端にも粘着テープ７を設けている。ただし、右側帯本体３の裏面８には粘着テープ７を設けていない。これら粘着テープ６，７・・は帯本体１に縫着されている。
【００１５】
ところで、本発明の簡易型帯を装着することは、帯本体１を腰に巻き付ければよいが、その長さは腰の周りより大きく成っている為に、右側帯本体３を下にし、左側帯本体４を上側に配置して巻き付け、右側帯本体３の表面５には上記粘着テープ６が設けられると共に、左側帯本体４の裏面８には小さな粘着テープ７，７・・が所々に設けられる為に、互いに重なり合った右側帯本体３と左側帯本体４は粘着テープ６，７を介して互いに固定される。
【００１６】
従って、適度に締付けた状態で巻き付けた帯本体１は弛むことなく、着用した和服の着崩れを防止して調和する。図２は和服を着用してこしに装着した本発明の簡易型帯であり、右側帯本体３を下側にし左側帯本体４を上側に配置して締付ける。従って、下側に位置する右側帯本体３は表面化せず、粘着テープ６も左側帯本体４にて被覆される。
【００１７】
そして、本発明の簡易型帯では上側に位置する左側帯本体４の先端部が表面化しないように処理される。同図において、点線は左側帯本体４の先端部９を示している。この先端部９は結び目２の内部隙間に挿入される。すなわち、該結び目２は帯を折畳んで形成されているが、内部に隙間を設けていて、この隙間に先端部９が挿入されて外に表面化しないようにすることが出来る。
【００１８】
しかし、腰周りの細い人では、左側帯本体４の先端部９が結び目２の隙間を通過して、該結び目２から反対側へはみ出す場合もある。そこで、この場合には、該先端部を折り返して該隙間に挟み込むことが出来る。ここで、結び目２の形態は限定しないが、間に挿通する隙間が残るように帯本体１に縫い付けされている。
【００１９】
図１に示す実施例では、右側帯本体３の表面に粘着テープ６を設け、左側帯本体４の裏面８に粘着テープ７，７・・を所々に設けているが、逆に左側帯本体４の表面５に粘着テープ６を沿設すると共に、右側帯本体３の裏面８の所々に粘着テープ７，７・・を設けることも可能である。
【図面の簡単な説明】
【００２０】
【図１】本発明に係る簡易型帯であり、(ａ)は平面図、(ｂ)裏面図。
【図２】本発明の簡易型帯を装着した状態。
【符号の説明】
【００２１】
１  帯本体
２  結び目
３  右側帯本体
４  左側帯本体
５  表面
６  粘着テープ
７  粘着テープ
８  裏面
９  先端部
【図１】
2005187953.tif 000003
【図２】
2005187953.tif 000004